(57)【要約】【課題】円筒状容器に対する円柱状フィルターの脱着を容易に行え、しかも、空気清浄能力を高いものにすることができる構造の空気清浄機を提供する。【解決手段】円柱状フィルター２の外周部と円筒状容器３の内周部との間に隙間７が存在し、該隙間７を上から塞ぐ着脱可能な蓋９が備えられ、該蓋９が、円筒状容器３の上端部に内嵌め状態にしっくりと嵌合し、円柱状フィルター２の上端面の全周縁部に当接することで前記隙間７を塞いでおり、ファン８を駆動することにより、円柱状フィルター２の上方より容器３に吸い込まれた空気が円柱状フィルター２内を通過し、排気室５を通って、円筒状容器３の下端排気口６から容器外に排出されるようになされている。【選択図】      図１
2004301405.tif 000002
【特許請求の範囲】
【請求項１】
縦向きにした有底円筒状の容器内に同じく縦向きにした円柱状フィルターが収容され、
円柱状フィルターの下端面は受けに受けられて円柱状フィルターの下端面と円筒状容器の底面との間に排気室が形成され、該排気室に面して円筒状容器底面に排気口が設けられ、該排気口に排気ファンが設けられ、
円柱状フィルターの外周部と円筒状容器の内周部との間に隙間が存在し、
該隙間を上から塞ぐ着脱可能な第１隙間塞ぎ材が備えられ、該第１塞ぎ材が、円筒状容器の上端部に内嵌め状態にしっくりと嵌合し、円柱状フィルターの上端面の全周縁部に当接することで前記隙間を塞いでおり、
ファンを駆動することにより、円柱状フィルターの上方より容器に吸い込まれた空気が円柱状フィルター内を通過し、排気室を通って、円筒状容器の下端排気口から容器外に排出されるようになされていることを特徴とする空気清浄機。
【請求項２】
前記円筒状容器に、前記隙間を下から塞ぐ第２隙間塞ぎ部が備えられ、該第２隙間塞ぎ部が、同容器内の円柱状フィルターの下端面全周縁部に当接して前記隙間を塞いでいる請求項１に記載の空気清浄機。
【請求項３】
縦向きにした有底円筒状の容器内に同じく縦向きにした円柱状フィルターが収容され、
円柱状フィルターの下端面は受けに受けられて円柱状フィルターの下端面と円筒状容器の底面との間に排気室が形成され、該排気室に面して円筒状容器底面に排気口が設けられ、該排気口に排気ファンが設けられ、
円柱状フィルターの外周部と円筒状容器の内周部との間に隙間が存在し、
前記円筒状容器に、前記隙間を下から塞ぐ第２隙間塞ぎ部が備えられ、該第２隙間塞ぎ部が、同容器内の円柱状フィルターの下端面全周縁部に当接して前記隙間を塞いでおり、
ファンを駆動することにより、円柱状フィルターの上方より容器に吸い込まれた空気が円柱状フィルター内を通過し、排気室を通って、円筒状容器の下端排気口から容器外に排出されるようになされていることを特徴とする空気清浄機。
【請求項４】
空気が、円柱状フィルターの上方の容器の天面側に備えられて上方に開口する上向き吸込口を通じて容器に吸い込まれるようになされている請求項１乃至３のいずれか一に記載の空気清浄機。
【請求項５】
空気が、円柱状フィルターの上方の容器の周壁側に設けられた側方に開口する横向き吸込口を通じて容器に吸い込まれるようになされている請求項１乃至４のいずれか一に記載の空気清浄機。
【発明の詳細な説明】
【０００１】
【発明の属する技術分野】
本発明は、屋内に設置されて空気中の埃や塵、有害化学物質等を除去するのに用いられる空気清浄機に関する。
【０００２】
【関連技術】
空気を清浄化するためのフィルターとして、図４（イ）に示すように、例えばシート状のフィルターを渦巻き状に巻いて形成した円柱状のフィルター５１が提供されている。そして、この円柱状フィルター５１を空気清浄機のフィルターとして用いるため、図４（ロ）に示すように、縦向きにした有底円筒状の容器５２内に同じく縦向きにした円柱状フィルター５１を収容し、円柱状フィルター５１の下端面を受け５３に受けさせて円柱状フィルター５１の下端面と円筒状容器５２の底面との間に排気室５４を形成し、該排気室５４に面して円筒状容器５２の底面に排気口５６が設け、該排気口に排気ファン５５を設け、ファン５５を駆動することにより、円柱状フィルター５１の上方より容器５２に吸い込まれた空気が円柱状フィルター５１内を通過し、排気室５４を通って、円筒状容器５２の下端排気口５６から外に排出されるようにした空気清浄機５８が考えられている。
【０００３】
【発明が解決しようとする課題】
しかしながら、上記のような構造の空気清浄機５８では、円筒状容器５２に対する円柱状フィルター５１の脱着容易性を良くしようとすると空気清浄能力を落としてしまい、空気清浄能力を高いものにしようとすると円柱状フィルター５１の脱着容易性が損なわれてしまうという問題があった。
【０００４】
即ち、図４（ハ）に示すように、円筒状容器５２に対する円柱状フィルター５１の脱着を容易にするため、フィルター５１としてその外径が円筒状容器５２の内径よりも少し小さいものを使用すると、確かに円柱状フィルター５１の脱着を容易に行うことができるようになる。しかしそのようにすると、ファン５５の駆動でフィルター５１の上方より吸い込まれる空気が、円柱状フィルター５１の内部を通過せずに、主として円柱状フィルター５１の外周部と円筒状容器５２の内周部との間の隙間５７を通じて排気室５４に吸い込まれてしまい、そのため、空気清浄能力が低くなってしまう。
【０００５】
一方、図４（ロ）に示すように、空気清浄能力を高くするため、円柱状フィルター５１としてその外径が円筒状容器５２の内径と同等程度のものを使用すると、円柱状フィルター５１の外周部と円筒状容器５２の内周部との間の隙間がなくなり、フィルター５１の上方より吸い込まれる空気は、主として円柱状フィルター５１の内部を通過して排気室５４に吸い込まれ、高い空気清浄能力を発揮することができる。しかしそのようにすると、円筒状容器５２内に円柱状フィルター５１を装填したり、取り出したりする脱着操作を行いにくくなる。
【０００６】
本発明は、上記のような問題点に鑑み、円筒状容器に対する円柱状フィルターの脱着を容易に行うことができ、しかも、空気清浄能力を高いものにすることができる構造の空気清浄機を提供することを課題とする。
【０００７】
【課題を解決するための手段】
上記の課題は、縦向きにした有底円筒状の容器内に同じく縦向きにした円柱状フィルターが収容され、
円柱状フィルターの下端面は受けに受けられて円柱状フィルターの下端面と円筒状容器の底面との間に排気室が形成され、該排気室に面して円筒状容器底面に排気口が設けられ、該排気口に排気ファンが設けられ、
円柱状フィルターの外周部と円筒状容器の内周部との間に隙間が存在し、
該隙間を上から塞ぐ着脱可能な第１隙間塞ぎ材が備えられ、該第１塞ぎ材が、円筒状容器の上端部に内嵌め状態にしっくりと嵌合し、円柱状フィルターの上端面の全周縁部に当接することで前記隙間を塞いでおり、
ファンを駆動することにより、円柱状フィルターの上方より容器に吸い込まれた空気が円柱状フィルター内を通過し、排気室を通って、円筒状容器の下端排気口から容器外に排出されるようになされていることを特徴とする空気清浄機によって解決される。
【０００８】
この空気清浄機では、フィルターが円柱状で、容器が円筒状であり、フィルターの外周部と容器の内周部との間に隙間が存在しているので、円筒状容器に対する円柱状フィルターの脱着を容易に行うことができる。
【０００９】
しかも、上記の隙間を上から塞ぐ第１隙間塞ぎ材が備えられ、該第１塞ぎ材が、円筒状容器の上端部に内嵌め状態にしっくりと嵌合し、円柱状フィルターの上端面の全周縁部に当接することで前記隙間を塞いでいるので、上記の隙間が存在するにもかかわらず、ファンを駆動して円柱状フィルターの上方より吸い込まれる空気は、上記の隙間に上方から入り込むことができず、必ず円柱状フィルターの上端面からフィルター内に入り込んでいき、そのため、吸い込まれた空気のすべてが円柱状フィルターの内部を通過し、空気清浄能力を高いものにすることができる。
【００１０】
加えて、第１塞ぎ材は、円筒状容器とは別体のもので、円筒状容器に対して着脱可能であるので、円筒状容器に対する円柱状フィルターの脱着時には、第１塞ぎ材を取り外しておくことで、円柱状フィルターの脱着容易性を妨げることもない。
【００１１】
特に、上記の空気清浄機において、円柱状フィルターが、その上端面と下端面との間で通気が許容されると共に、上端面と周側面との間や、周側面と下端部との間でも通気が許容されるものである場合には、上記の円筒状容器に、隙間を下から塞ぐ第２隙間塞ぎ部が備えられ、該第２隙間塞ぎ部が、同容器内の円柱状フィルターの下端面全周縁部に当接して前記隙間を塞いでいるとよい。
【００１２】
即ち、そのような円柱状フィルターである場合には、第１塞ぎ材で隙間を上から塞いで空気が円柱状フィルターの上端面から内部に吸い込まれるようにしても、隙間の下端が排気室と連通されていると、隙間がファンの起動により減圧され、円柱状フィルター内に吸い込まれた空気が円柱状フィルターの周側面を通じて隙間に流れ込んで排気室に吸い込まれてしまい、円柱状フィルターの下端面から排気室に吸い込まれる空気の量が減少し、空気清浄能力を落としてしまう。
【００１３】
そこで、上記のように、第２隙間塞ぎ部で隙間を下からも塞ぐようにしておくことにより、ファンを駆動しても、円柱状フィルター内に吸い込まれた空気が円柱状フィルターの周側面を通じて隙間に流れ込んでしまうことがなくなり、空気は円柱状フィルターの下端面から集中的に吸い出され、空気清浄能力を高いものにすることができる。
【００１４】
また、上記の課題は、縦向きにした有底円筒状の容器内に同じく縦向きにした円柱状フィルターが収容され、
円柱状フィルターの下端面は受けに受けられて円柱状フィルターの下端面と円筒状容器の底面との間に排気室が形成され、該排気室に面して円筒状容器底面に排気口が設けられ、該排気口に排気ファンが設けられ、
円柱状フィルターの外周部と円筒状容器の内周部との間に隙間が存在し、
前記円筒状容器に、前記隙間を下から塞ぐ第２隙間塞ぎ部が備えられ、該第２隙間塞ぎ部が、同容器内の円柱状フィルターの下端面全周縁部に当接して前記隙間を塞いでおり、
ファンを駆動することにより、円柱状フィルターの上方より容器に吸い込まれた空気が円柱状フィルター内を通過し、排気室を通って、円筒状容器の下端排気口から容器外に排出されるようになされていることを特徴とする空気清浄機によって解決される。
【００１５】
この場合は、円筒状容器に、隙間を下から塞ぐ第２隙間塞ぎ部が備えられ、該第２隙間塞ぎ部が、同容器内の円柱状フィルターの下端面全周縁部に当接して前記隙間を塞いでいるので、隙間が存在するにもかかわらず、ファンを駆動して円柱状フィルターの上方より吸い込まれる空気は、上記の隙間から下方に出ていくことができず、必ず円柱状フィルターの下端面を通じて排気室に吸い出され、そのため、吸い込まれた空気のすべてが円柱状フィルターの内部を通過し、空気清浄能力を高いものにすることができる。
【００１６】
しかも、第２塞ぎ部が容器と別体のものであろうと、一体のものであろうと、円柱状フィルターは円筒状容器の上方より出し入れすればよく、円筒状容器に対する円柱状フィルターの脱着容易性を損なわせることはない。
【００１７】
上記の各空気清浄機において、空気が、円柱状フィルターの上方の容器の天面側に備えられて上方に開口する上向き吸込口を通じて容器に吸い込まれるようになされている場合は、隙間があると、空気がその隙間に入り込んでいきやすいが、隙間塞ぎによって、隙間に入り込んでいきにくく、そのため、空気清浄能力を高いものにすることができる。
【００１８】
また、上記の空気清浄機において、空気が、円柱状フィルターの上方の容器の周壁側に設けられた側方に開口する横向き吸込口を通じて容器に吸い込まれるようになされている場合は、ファンの駆動により、空気は円柱状フィルターの上端面の中心側に誘導され、空気清浄能力をいよいよ高いものにすることができる。
【００１９】
【発明の実施の形態】
次に、本発明の実施形態を図面に基づいて説明する。
【００２０】
図１に示す第１実施形態の空気清浄機１において、２は円柱状フィルター、３は有底円筒状の容器であり、容器３内において、円柱状フィルター２の下端面は受け４に受けられ、円柱状フィルター２の下端面と円筒状容器３の底面との間に排気室５が形成され、該排気室５に面して円筒状容器３の底面に排気口６が設けられ、該排気口６に排気ファン８が設けられている。
【００２１】
円柱状フィルター２は、図４（イ）に示すように、例えばシート状のフィルターを渦巻き状に巻いて形成したもので、このフィルター２は、その上端面と下端面との間で通気が許容されると共に、上端面と周側面との間や、周側面と下端部との間でも通気が許容されるものである。
【００２２】
そして、円柱状フィルターの外径は円筒状容器３の内径よりも小さく、円筒状容器３内に円柱状フィルター２を収容した状態で、円柱状フィルター２の外周部と円筒状容器３の内周部との間に隙間７が形成されるようになされている。
【００２３】
円筒状容器３の上端部には、第１隙間塞ぎ部材としての逆カップ状の蓋９が取り付けられており、この蓋９は、開口側の周壁部分９ａが、円筒状容器３の上端側周壁の内側に内嵌め状態にしっくりと嵌まり込むようになされており、かつ、この開口側周壁部分９ａは全周にわたって厚肉に形成され、円筒状容器３の上端部に嵌め込んだ状態で、その先端面が、円柱状フィルター２の上端面の全周縁部に当接し、上記の隙間７が上から塞がれるようになされている。
【００２４】
なお、蓋９の開口側周壁部分９ａの半径線方向の寸法は、円柱状フィルター２が円筒状容器３内で側方に偏って収容された場合でも、隙間７が蓋９の開口側周壁部分９ａによって塞がれるような寸法に設定されている。
【００２５】
また、上記の蓋９の周壁部分には、図１（ロ）に示すように、側方に開口する横向きの吸込口１０が周方向に間隔的に複数備えられ、これら吸込口１０…を通じて容器３内に室内の空気が吸い込まれるようになされており、容器３の天面側は封鎖されいる。
【００２６】
ファン８を駆動すると、円柱状フィルター２の上方の蓋９の横向き吸込口１０…を通じて容器３内に吸い込まれた室内空気が、円柱状フィルター２内を通過して浄化され、排気室５を通って、円筒状容器３の下端排気口６から容器３外に排出される。１２は脚部で、排気口６と室内とを連通するものである。
【００２７】
上記の空気清浄機１では、フィルター２が円柱状で、容器３が円筒状であり、フィルター２の外周部と容器３の内周部との間に隙間７が存在しているので、円筒状容器３に対する円柱状フィルター２の脱着は、図１（ハ）に示すように、蓋９を取り外した状態で、容器３の上端開口部を通じて抜き差しすることにより容易に行うことができる。
【００２８】
しかも、円筒状容器３に円柱状フィルター２を装填し、蓋９を付けた状態で、上記の隙間７は、図１（イ）に示すように、蓋９の開口側周壁部分９ａによって上から塞がれるので、隙間７が存在するにもかかわらず、ファン８の駆動により円柱状フィルター２の上方より吸い込まれる空気は、上記の隙間７に上方から入り込むことができず、必ず円柱状フィルター２の上端面からフィルター２内に入り込んでいき、そのため、吸込口１０…を通じて吸い込まれた空気のすべてが円柱状フィルター２の内部を通過し、空気清浄能力が高いものになる。
【００２９】
また、本実施形態では、室内空気を吸い込む吸込口１０…が、逆カップ状の蓋９の取付けによって容器３の周壁側に側方に開口して備えられ、蓋９の天面側は封鎖されているため、ファン８の駆動により、室内空気は円柱状フィルター２の上端面の中心側に誘導され、そのため、円柱状フィルター２内を通じて隙間７に抜ける空気を少なくすることができて、空気清浄能力をいよいよ高いものにすることができる。
【００３０】
図２に示す第２実施形態の空気清浄機１では、受け４が、円柱状フィルター２の下端面の面内部分を受け支える支え部４ａを備えていると共に、第２隙間塞ぎ部としての厚肉リング状部分ないしは厚肉短筒状部分４ｂを備え、この厚肉短筒状部分４ｂに、容器３内の円柱状フィルター２の下端面全周縁部が当接し、厚肉短筒状部分４ｂが隙間７を下から塞ぐようになされている。本実施形態では、受け４の厚肉リング状部分ないしは厚肉短筒状部分４ｂが容器３とは別体の部品からなっており、厚肉短筒状部分４ｂは、その外周面が容器３の内周面にしっくりと嵌合されるようになされているが、厚肉短筒状部分４ｂは容器３に一体に備えられたものであってもよい。なお、厚肉短筒状部分４ｂの半径線方向の寸法は、円柱状フィルター２が円筒状容器３内で側方に偏って収容された場合でも、隙間７が厚肉短筒状部分４ｂによって塞がれるような寸法に設定されている。
【００３１】
また、隙間７を上から塞ぐ第１塞ぎ材として、本実施形態では、厚肉リング状材ないしは厚肉短筒状材１３が用いられ、該厚肉短筒状材１３が、円筒状容器３の上端部に内嵌め状態にしっくりと嵌合し、円柱状フィルター２の上端面の全周縁部に当接することで前記隙間７を塞ぐようになされている。従って、本実施形態では、室内空気を吸い込む吸込口１１は、円柱状フィルター２の上方の容器３の天面側に上方に開口して備えられ、室内空気はこの上向き吸込口１１を通じて容器３内に吸い込まれるようになされている。その他は、概ね第１実施形態の空気清浄機１と同様である。
【００３２】
本実施形態の空気清浄機１では、第２隙間塞ぎ部としての受け４の厚肉リング状部分ないしは厚肉短筒状部分４ｂで隙間７を下からも塞ぐようにしているので、ファン８を駆動しても、図２（イ）に示すように、円柱状フィルター２内に吸い込まれた空気が円柱状フィルター２の周側面を通じて隙間７に流れ込んでしまうことがなくなり、空気は円柱状フィルター２の下端面から集中的に吸い出され、そのため、円柱状フィルター２を全長にわたって通過する空気の量を多くすることができて、空気清浄能力を高いものにすることができる。
【００３３】
また、図２（ロ）に示すように、第１塞ぎ材としての厚肉リング状材ないしは厚肉短筒状材１３を取り外すことで、円柱状フィルター２を容器３の上端開口部を通じて抜き差しすることにより、円筒状容器３に対する円柱状フィルター２の脱着を容易に行うことができる。
【００３４】
更に、本実施形態では、吸込口１１が円柱状フィルター２の上方の容器３の天面側に上向きに備えられていて、吸い込んだ空気が隙間７に入り込みやすいが、隙間塞ぎ１３，４ｂによって、隙間７に入り込んでいきにくく、そのため、空気清浄能力を高いものにすることができる。
【００３５】
図３に示す第３実施形態の空気清浄機１は、第２実施形態の空気清浄機１において、第１隙間塞ぎ材としての厚肉リング状材ないしは厚肉短筒状材１３が省略されたものである。その他は、概ね第２実施形態の空気清浄機１と同様である。
【００３６】
本実施形態の空気清浄機１では、図３（イ）に示すように、隙間７が下から塞がれているので、ファン８の駆動により円柱状フィルター２の上方より吸い込まれる空気は、上記の隙間７から下方に出ていくことができず、必ず円柱状フィルター２の下端面を通じて排気室５に吸い出され、そのため、吸い込まれた空気のすべてが円柱状フィルター２の内部を通過し、空気清浄能力を高いものにすることができる。
【００３７】
しかも、図３（ロ）に示すように、第２塞ぎ部としての厚肉リング状部ないしは厚肉短筒状部４ａが容器３と別体のものであろうと、一体のものであろうと、円柱状フィルター２は円筒状容器３の上方より出し入れすればよく、円筒状容器３に対する円柱状フィルター２の脱着容易性を損なわせることもない。
【００３８】
以上に、本発明の実施形態を示したが、本発明はこれに限られるものではなく、発明思想を逸脱しない範囲で各種の変更が可能である。例えば、円柱状フィルター２は、シート状のフィルターを渦巻き状に巻いて形成されたものに限られるものではないし、上端面と下端面との間でのみ浄化のための通気が許容されるようになされたものであってもよい。
【００３９】
【発明の効果】
本発明は、以上のとおりのものであるから、円筒状容器に対する円柱状フィルターの脱着を容易に行うことができ、しかも、空気清浄能力を高いものにすることができる。
【図面の簡単な説明】
【図１】第１実施形態の空気清浄機を示すもので、図（イ）は断面側面図、図（ロ）は図（イ）のＩ−Ｉ線端面図、図（ハ）は円筒状容器への円柱状フィルターの装着方法を示す分解断面側面図である。
【図２】第２実施形態の空気清浄機を示すもので、図（イ）は断面側面図、図（ロ）は円筒状容器への円柱状フィルターの装着方法を示す分解断面側面図である。
【図３】第３実施形態の空気清浄機を示すもので、図（イ）は断面側面図、図（ロ）は円筒状容器への円柱状フィルターの装着方法を示す分解断面側面図である。
【図４】関連技術を示すもので、図（イ）は円柱状フィルターの斜視図、図（ロ）は空気清浄機の一例を示す断面側面図、図（ハ）は空気清浄機の他の例を示す断面側面図である。
【符号の説明】
１…空気清浄機
２…円柱状フィルター
３…円筒状容器
４…受け
４ａ…厚肉短筒状部分（第２隙間塞ぎ部）
５…排気室
６…排気口
７…隙間
８…ファン
９…蓋（第１隙間塞ぎ部）
１０…横向き吸込口
１１…上向き吸込口
【図１】
2004301405.tif 000003
【図２】
2004301405.tif 000004
【図３】
2004301405.tif 000005
【図４】
2004301405.tif 000006